(57)【要約】      （修正有）【課題】ウエブにおける切断端部が新巻取ロールの外周面に貼り付けられずに折り返ってしまうことを防止することができ、巻き取りロスの発生を抑制することができるウエブ巻取装置およびウエブ巻取方法を提供する。【解決手段】ウエブ巻取装置１０は、ウエブＷを巻き取り可能な複数の巻取ロール（例えば、第１の巻取ロール１２および第２の巻取ロール１４）と、ウエブＷが巻き取られるべき巻取ロールの交換が行われるときに当該ウエブＷを切断する切断部（例えば、カッター２６）と、を備えている。切断部は、ウエブＷが新たに巻き取られるべき巻取ロールの外周面にウエブＷが接した状態で当該ウエブＷの切断を行う。【選択図】図１
2015048173.tif 000002
【特許請求の範囲】
【請求項１】
ウエブを巻き取り可能な複数の巻取ロールと、
ウエブが巻き取られるべき前記巻取ロールの交換が行われるときに当該ウエブを切断する切断部と、
を備え、
前記切断部は、ウエブが新たに巻き取られるべき前記巻取ロールの外周面にウエブが接した状態で当該ウエブの切断を行う、ウエブ巻取装置。
【請求項２】
前記切断部は、ウエブが新たに巻き取られるべき前記巻取ロールの外周面に当接する切断位置と、当該巻取ロールの外周面から離間した退避位置との間で移動自在となっている、請求項１記載のウエブ巻取装置。
【請求項３】
ウエブが新たに巻き取られるべき前記巻取ロールの外周面に前記切断部が当接したときに当該巻取ロールの外周面に対する前記切断部の押圧力を緩和する緩和手段が設けられている、請求項１または２記載のウエブ巻取装置。
【請求項４】
前記切断部には、当該切断部を保持する切断部保持部材が設けられており、
前記緩和手段は、前記切断部保持部材に取り付けられた弾性体を含む、請求項３記載のウエブ巻取装置。
【請求項５】
前記弾性体はバネを含む、請求項４記載のウエブ巻取装置。
【請求項６】
ウエブが新たに巻き取られるべき前記巻取ロールの外周面にウエブを押さえ付けるニップロールを更に備え、
前記切断部は、前記ニップロールにより前記巻取ロールの外周面に押さえ付けられた後のウエブの切断を行う、請求項１乃至５のいずれか一項に記載のウエブ巻取装置。
【請求項７】
前記ニップロールには、当該ニップロールを支持するニップロール支持アームが設けられており、
ウエブが新たに巻き取られるべき前記巻取ロールの外周面を押圧する圧接位置と、当該巻取ロールの外周面から離間した退避位置との間で前記ニップロールが移動自在となるよう前記ニップロール支持アームが揺動するようになっており、
前記切断部は切断部支持アームにより前記ニップロール支持アームに取り付けられている、請求項６記載のウエブ巻取装置。
【請求項８】
ウエブを巻き取り可能な複数の巻取ロールを備えたウエブ巻取装置によるウエブ巻取方法であって、
ウエブが新たに巻き取られるべき前記巻取ロールの外周面にウエブを当接させる工程と、
ウエブが新たに巻き取られるべき前記巻取ロールの外周面にウエブが接した状態で当該ウエブの切断を行う工程と、
切断されたウエブを前記巻取ロールにより巻き取る工程と、
を備えた、ウエブ巻取方法。
【発明の詳細な説明】
【技術分野】
【０００１】
本発明は、紙やフィルム等の帯状のシート状物であるウエブを巻き取るためのウエブ巻取装置およびウエブ巻取方法に関する。
【背景技術】
【０００２】
従来から、印刷機やラミネーター等の各種フィルムの生産ラインにおいて、生産したフィルムを巻取装置によりロール状に巻き取るようになっている。このような巻取装置としては、例えばターレットと呼ばれる複数の巻取ロールを有した旋回機構により、フィルムが巻き取られるべき巻取ロールを旧巻取ロールから新巻取ロールに自動で交換するようになっているものが知られており、このような旋回機構によりフィルムの連続生産を実現するようになっている。このような巻取装置では、巻取ロールを交換する際に、新巻取ロールと旧巻取ロールとの間にあるフィルムをカッターで切断し、切断部分以降を新巻取ロールに巻き取らせるようになっているが、フィルムにおける切断端部が新巻取ロールの外周面に貼り付けられずに折り返ることで（このような現象を「巻き折れ」ともいう）、新巻取ロールに巻き取られるフィルムにシワが生じてしまい巻き取りロスが発生するという問題がある。
【０００３】
このような問題を解決するために、例えば特許文献１には、カッターにブラシを設け、フィルムをカッターにより切断した後に、このカッターに設けられたブラシでフィルムの切断端部を新巻取ロールに巻き付けることにより、フィルムの折れ返りを防いでシワの発生を抑制するような技術が開示されている。また、特許文献２には、巻取ロールを交換する際に、ニップロールにより新巻取ロールにフィルムを押し付けることによって、新巻取ロールによるフィルムの巻き取りの安定性を向上させるような技術が開示されている。
【先行技術文献】
【特許文献】
【０００４】
【特許文献１】特開平７−１１７９０４号公報
【特許文献２】実開昭６２−５３２７１号公報
【発明の概要】
【発明が解決しようとする課題】
【０００５】
しかしながら、特許文献１に開示されるようなフィルムの巻取方法では、カッターによるフィルムの切断箇所と新巻取ロールとの間に距離があるため、フィルムをカッターにより切断した後にブラシでフィルムの切断端部を新巻取ロールに巻き付けたとしても、依然としてフィルムにおける切断端部が新巻取ロールの外周面に貼り付けられずに折り返ってしまう可能性がある。また、このような方法ではライン運転速度が速くなると対応できなくなったり、ブラシを高速で動作させるために大きな装置が必要になったりする等の問題がある。また、特許文献２に開示されるようなフィルムの巻取装置でも、カッターによるフィルムの切断箇所と新巻取ロールとの間に距離があるため、フィルムにおける切断端部が新巻取ロールの外周面に貼り付けられずに折り返ってしまう可能性があり、カッターに押え部材（特許文献２の図１乃至図３において参照符号１０で表示）を取り付ける必要があるという問題があった。
【０００６】
本発明は、このような点を考慮してなされたものであり、ウエブにおける切断端部が新巻取ロールの外周面に貼り付けられずに折り返ってしまうことを防止することができ、巻き取りロスの発生を抑制することができるウエブ巻取装置およびウエブ巻取方法を提供することを目的とする。
【課題を解決するための手段】
【０００７】
本発明のウエブ巻取装置は、ウエブを巻き取り可能な複数の巻取ロールと、ウエブが巻き取られるべき前記巻取ロールの交換が行われるときに当該ウエブを切断する切断部と、を備え、前記切断部は、ウエブが新たに巻き取られるべき前記巻取ロールの外周面にウエブが接した状態で当該ウエブの切断を行うことを特徴とする。
【０００８】
このようなウエブ巻取装置によれば、ウエブが新たに巻き取られるべき巻取ロールの外周面にウエブが接した状態で当該ウエブの切断を行うことにより、ウエブにおける切断端部が新巻取ロールの外周面に貼り付けられずに折り返ってしまうことを防止することができ、巻き取りロスの発生を抑制することができる。
【０００９】
本発明のウエブ巻取装置においては、前記切断部は、ウエブが新たに巻き取られるべき前記巻取ロールの外周面に当接する切断位置と、当該巻取ロールの外周面から離間した退避位置との間で移動自在となっていてもよい。
【００１０】
また、ウエブが新たに巻き取られるべき前記巻取ロールの外周面に前記切断部が当接したときに当該巻取ロールの外周面に対する前記切断部の押圧力を緩和する緩和手段が設けられていてもよい。
【００１１】
この場合、前記切断部には、当該切断部を保持する切断部保持部材が設けられており、前記緩和手段は、前記切断部保持部材に取り付けられた弾性体を含むようになっていてもよい。
【００１２】
この際に、前記弾性体はバネを含んでいてもよい。
【００１３】
本発明のウエブ巻取装置は、ウエブが新たに巻き取られるべき前記巻取ロールの外周面にウエブを押さえ付けるニップロールを更に備え、前記切断部は、前記ニップロールにより前記巻取ロールの外周面に押さえ付けられた後のウエブの切断を行うようになっていてもよい。
【００１４】
この場合、前記ニップロールには、当該ニップロールを支持するニップロール支持アームが設けられており、ウエブが新たに巻き取られるべき前記巻取ロールの外周面を押圧する圧接位置と、当該巻取ロールの外周面から離間した退避位置との間で前記ニップロールが移動自在となるよう前記ニップロール支持アームが揺動するようになっており、前記切断部は切断部支持アームにより前記ニップロール支持アームに取り付けられていてもよい。
【００１５】
本発明のウエブ巻取方法は、ウエブを巻き取り可能な複数の巻取ロールを備えたウエブ巻取装置によるウエブ巻取方法であって、ウエブが新たに巻き取られるべき前記巻取ロールの外周面にウエブを当接させる工程と、ウエブが新たに巻き取られるべき前記巻取ロールの外周面にウエブが接した状態で当該ウエブの切断を行う工程と、切断されたウエブを前記巻取ロールにより巻き取る工程と、を備えたことを特徴とする。
【００１６】
このようなウエブ巻取方法によれば、ウエブが新たに巻き取られるべき巻取ロールの外周面にウエブが接した状態で当該ウエブの切断を行うことにより、ウエブにおける切断端部が新巻取ロールの外周面に貼り付けられずに折り返ってしまうことを防止することができ、巻き取りロスの発生を抑制することができる。
【発明の効果】
【００１７】
本発明のウエブ巻取装置およびウエブ巻取方法によれば、ウエブにおける切断端部が新巻取ロールの外周面に貼り付けられずに折り返ってしまうことを防止することができ、巻き取りロスの発生を抑制することができる。
【図面の簡単な説明】
【００１８】
【図１】本発明の実施の形態によるウエブ巻取装置の構成の概略を示す概略構成図である。
【図２】図１に示すウエブ巻取装置におけるカッター保持部材やカッター支持アーム等の構成の詳細を示す構成図である。
【図３】比較例としての、従来技術のウエブ巻取装置の構成の概略を示す概略構成図である。
【発明を実施するための形態】
【００１９】
以下、図面を参照して本発明の実施の形態について説明する。図１および図２は、本実施の形態に係るウエブ巻取装置およびウエブ巻取方法を示す図である。このうち、図１は、本実施の形態によるウエブ巻取装置の構成の概略を示す概略構成図であり、図２は、図１に示すウエブ巻取装置におけるカッター保持部材やカッター支持アーム等の構成の詳細を示す構成図である。なお、図３は、比較例としての、従来技術のウエブ巻取装置の構成の概略を示す概略構成図である。
【００２０】
図１に示すように、本実施の形態のウエブ巻取装置１０は、紙やフィルム等の帯状のシート状物であるウエブＷを複数の巻取ロール（例えば、第１の巻取ロール１２および第２の巻取ロール１４）により連続的に巻き取るものである。なお、図１では、第１の巻取ロール１２は、既にウエブＷの巻き取りが行われたものであり、第２の巻取ロール１４は、これから新たにウエブＷの巻き取りが行われるものである。そして、第１の巻取ロール１２によりウエブＷの巻き取りが行われた後、ウエブＷの巻き取りが行われるべき巻取ロールが第１の巻取ロール１２から第２の巻取ロール１４に交換されることによって、ウエブ巻取装置１０に連続的に送られるウエブＷが引き続き第２の巻取ロール１４により巻き取られるようになっている。
【００２１】
図１に示すように、本実施の形態のウエブ巻取装置１０には、第１の巻取ロール１２および第２の巻取ロール１４をそれぞれ回転自在に支持する、ターレットと呼ばれる旋回機構が設けられている。このような旋回機構について具体的に説明すると、十字形状の支持アーム１８における互いに対向する両端部において第１の巻取ロール１２および第２の巻取ロール１４がそれぞれ回転自在に支持されており、この支持アーム１８は回転軸１８ａを中心として回転するようになっている。また、支持アーム１８における第１の巻取ロール１２および第２の巻取ロール１４が設けられていない端部にはガイドロール１６が回転自在に設けられている。ここで、支持アーム１８が回転軸１８ａを中心として図１における時計回りの方向に１８０°回転することにより、第１の巻取ロール１２および第２の巻取ロール１４の位置が入れ替わるようになっている。
【００２２】
次に、本実施の形態のウエブ巻取装置１０において、ウエブＷが巻き取られるべき巻取ロールの交換が上述した旋回機構により行われるときに当該ウエブＷを切断する切断機構２０が配設されている。切断機構２０は、ニップロール２２およびカッター２６を有しており、これらのニップロール２２およびカッター２６は一体的に移動するようになっている。ここで、ニップロール２２は、ウエブＷが新たに巻き取られるべき第２の巻取ロール１４の外周面にウエブＷを押さえ付けるようになっており、カッター２６は、ニップロール２２により第２の巻取ロール１４の外周面に押さえ付けられた後のウエブＷの切断を行うようになっている。
【００２３】
図１に示すように、ニップロール２２には、当該ニップロール２２を回転自在に支持するニップロール支持アーム２４が設けられており、このニップロール支持アーム２４はその基端部分に設けられた回転軸２４ａを中心として揺動するようになっている。より詳細には、ニップロール２２が、ウエブＷが新たに巻き取られるべき第２の巻取ロール１４の外周面を押圧する圧接位置（図１における実線で示す位置）と、第２の巻取ロール１４の外周面から離間した退避位置（図１における二点鎖線で示す位置）との間で移動自在となるよう、ニップロール支持アーム２４が回転軸２４ａを中心として揺動するようになっている。
【００２４】
また、カッター２６には、このカッター２６を支持するカッター支持アーム３０が設けられており、このカッター支持アーム３０はニップロール支持アーム２４に取り付けられている。このことにより、ニップロール支持アーム２４が回転軸２４ａを中心として揺動すると、カッター支持アーム３０もニップロール支持アーム２４に連動して移動するようになり、このことにより、カッター２６は、ウエブＷが新たに巻き取られるべき第２の巻取ロール１４の外周面に当接する切断位置（図１における実線で示す位置）と、第２の巻取ロール１４の外周面から離間した退避位置（図１における二点鎖線で示す位置）との間で移動自在となっている。
【００２５】
また、図２に示すように、カッター２６の両側部には、当該カッター２６を保持するためのカッター保持部材２８が設けられている。そして、左右一対のカッター保持部材２８の各々はバネ等の弾性体２９によりカッター支持アーム３０の先端部分に取り付けられている。ここで、各カッター保持部材２８に設けられたバネ等の弾性体２９は、ウエブＷが新たに巻き取られるべき第２の巻取ロール１４の外周面にカッター２６が当接したときにこの第２の巻取ロール１４の外周面に対するカッター２６の押圧力を緩和する緩和手段として機能するようになっている。すなわち、ニップロール支持アーム２４およびカッター支持アーム３０が回転軸２４ａを中心として図１における時計回りの方向に回転し、カッター２６が図１における二点鎖線で示す退避位置から図１における実線で示す切断位置に移動したときに、各カッター保持部材２８に設けられたバネ等の弾性体２９によって、第２の巻取ロール１４の外周面に対するカッター２６の押圧力が緩和されるため、カッター２６によりウエブＷの切断を行った際に第２の巻取ロール１４の外周面が傷つけられてしまうことを防止することができる。
【００２６】
また、図１に示すように、カッター２６にはブラシ２７が設けられており、ウエブＷをカッター２６により切断した後に、このカッター２６に設けられたブラシ２７でウエブＷの切断端部を第２の巻取ロール１４に巻き付けるようになっている。このようなブラシ２７が設けられていることにより、カッター２６により切断された後のウエブＷの折れ返りが防止され、このことによりウエブＷにおいてシワの発生が抑制されるようになる。
【００２７】
次に、このような構成からなるウエブ巻取装置１０の動作（具体的には、ウエブ巻取装置１０によるウエブＷの巻取方法）について以下に説明する。
【００２８】
まず、ウエブ巻取装置１０に送られたウエブＷを第１の巻取ロール１２により巻き取る際には、この第１の巻取ロール１２は十字形状の支持アーム１８における左端部分（すなわち、図１において第２の巻取ロール１４が存在する箇所）に位置するようになっている。この際に、次にウエブＷの巻き取りを行うべき第２の巻取ロール１４は、十字形状の支持アーム１８における右端部分（すなわち、図１において第１の巻取ロール１２が存在する箇所）に位置するようになっている。また、ニップロール支持アーム２４やカッター支持アーム３０は図１における二点鎖線で示す場所に位置するようになっている。
【００２９】
そして、第１の巻取ロール１２に十分な量のウエブＷが巻き付けられ、ウエブＷが巻き取られるべき巻取ロールを第１の巻取ロール１２から第２の巻取ロール１４に交換する際に、支持アーム１８は回転軸１８ａを中心として図１における時計回りの方向に１８０°回転する。このことにより、第１の巻取ロール１２および第２の巻取ロール１４はそれぞれ図１に示す箇所に位置するようになる。また、この際に、第１の巻取ロール１２に巻き付けられるウエブＷは、十字形状の支持アーム１８における上端部分に位置するガイドロール１６により案内されるようになる。
【００３０】
次に、ニップロール支持アーム２４やカッター支持アーム３０が図１における二点鎖線の位置から実線の位置に移動する。このことにより、ニップロール２２が第２の巻取ロール１４に当接してこの第２の巻取ロール１４の外周面を押圧するようになり、ウエブＷはニップロール２２と第２の巻取ロール１４との間に挟まれた状態で当該ニップロール２２により第２の巻取ロール１４の外周面に押さえ付けられるようになる。そして、カッター２６は、ニップロール２２により第２の巻取ロール１４の外周面に押さえ付けられた後のウエブＷを、当該ウエブＷが第２の巻取ロール１４の外周面に接した状態で切断する。このようにして、切断された後のウエブＷは第２の巻取ロール１４に巻き付けられるようになる。
【００３１】
以上のような構成からなる本実施の形態のウエブ巻取装置１０によれば、ウエブＷが新たに巻き取られるべき第２の巻取ロール１４の外周面にウエブＷが接した状態で当該ウエブＷの切断を行うことにより、ウエブＷにおける切断端部が第２の巻取ロール１４の外周面に貼り付けられずに折り返ってしまうことを防止することができ、巻き取りロスの発生を抑制することができる。
【００３２】
ここで、比較例として、従来技術のウエブ巻取装置の構成の概略を図３に示す。図３に示すようなウエブ巻取装置５０においては、複数の巻取ロール１２、１４をそれぞれ回転自在に支持する、ターレットと呼ばれる旋回機構については図１に示すような本実施の形態のウエブ巻取装置１０と同じものが用いられるようになっているが、ウエブＷが新たに巻き取られるべき第２の巻取ロール１４の外周面にウエブＷが接していない状態で当該ウエブＷの切断を行うという点で、図１に示すような本実施の形態のウエブ巻取装置１０とは構成が異なるようになっている。このような従来技術のウエブ巻取装置５０について以下に説明する。
【００３３】
図３に示すような従来技術のウエブ巻取装置５０は、ウエブＷが新たに巻き取られるべき第２の巻取ロール１４の外周面にウエブを押さえ付けるニップロール５２と、ニップロール５２により第２の巻取ロール１４の外周面に押さえ付けられた後のウエブＷの切断を行うカッター５６とを備えている。また、カッター５６にはブラシ５７が設けられており、ウエブＷをカッター５６により切断した後に、このカッター５６に設けられたブラシ５７でウエブＷの切断端部を第２の巻取ロール１４に巻き付けるようになっている。
【００３４】
図３に示すように、カッター５６は、旋回機構によりウエブＷが巻き取られるべき巻取ロールが第１の巻取ロール１２から第２の巻取ロール１４に切り換えられる際に、第２の巻取ロール１４とガイドロール１６との間でウエブＷを切断するようになっている。しかしながら、この場合には、カッター５６によるウエブＷの切断箇所と第２の巻取ロール１４との間に距離があるため、ウエブＷにおける切断端部が第２の巻取ロール１４の外周面に貼り付けられずに折り返ってしまうおそれがある。これに対し、本実施の形態のウエブ巻取装置１０では、ウエブＷが新たに巻き取られるべき第２の巻取ロール１４の外周面にウエブＷが接した状態でカッター２６により当該ウエブＷの切断を行うことによって、このようなウエブＷの切断端部の折り返りが生じてしまうことを抑制することができる。
【００３５】
また、本実施の形態のウエブ巻取装置１０においては、前述したように、カッター２６は、ウエブＷが新たに巻き取られるべき第２の巻取ロール１４の外周面に当接する切断位置（図１において実線で示す位置）と、第２の巻取ロール１４の外周面から離間した退避位置（図１において二点鎖線で示す位置）との間で移動自在となっている。
【００３６】
また、本実施の形態のウエブ巻取装置１０においては、前述したように、ウエブＷが新たに巻き取られるべき第２の巻取ロール１４の外周面にカッター２６が当接したときに第２の巻取ロール１４の外周面に対するカッター２６の押圧力を緩和する緩和手段として、各カッター保持部材２８に取り付けられたバネ等の弾性体２９が設けられている。このことにより、カッター２６が図１における二点鎖線で示す退避位置から図１における実線で示す切断位置に移動したときに、緩和手段によって第２の巻取ロール１４の外周面に対するカッター２６の押圧力が緩和されるため、カッター２６によりウエブＷの切断を行った際に第２の巻取ロール１４の外周面が傷つけられてしまうことを防止することができる。
【００３７】
また、本実施の形態のウエブ巻取装置１０においては、前述したように、ウエブＷが新たに巻き取られるべき第２の巻取ロール１４の外周面にウエブＷを押さえ付けるニップロール２２が設けられている。この場合には、巻取ロールを交換する際に、ニップロール２２により第２の巻取ロール１４にウエブＷを押し付けることによって、この第２の巻取ロール１４によるウエブＷの巻き取りの安定性を向上させることができる。
【００３８】
また、前述したように、ニップロール２２には、当該ニップロール２２を支持するニップロール支持アーム２４が設けられている。そして、ウエブＷが新たに巻き取られるべき第２の巻取ロール１４の外周面を押圧する圧接位置と、第２の巻取ロール１４の外周面から離間した退避位置との間でニップロール２２が移動自在となるようニップロール支持アーム２４が揺動するようになっている。また、カッター２６はカッター支持アーム３０によりニップロール支持アーム２４に取り付けられている。この場合には、ニップロール支持アーム２４およびカッター支持アーム３０が一体的に移動するようになるため、ニップロール２２およびカッター２６を一体的に移動させることができるようになる。
【００３９】
なお、本実施の形態によるウエブ巻取装置やウエブ巻取方法は、上述したような態様に限定されることはなく、様々な変更を加えることができる。
【００４０】
例えば、本実施の形態によるウエブ巻取装置では、ウエブＷが新たに巻き取られるべき第２の巻取ロール１４の外周面にウエブＷを押さえ付けるニップロール２２を必ずしも設置する必要がない。すなわち、ニップロール２２やニップロール支持アーム２４が設置されていなくとも、第２の巻取ロール１４の外周面にウエブＷが接した状態で当該ウエブＷの切断を行うことができるものであれば、ウエブＷにおける切断端部が第２の巻取ロール１４の外周面に貼り付けられずに折り返ってしまうことを防止することができる。
【００４１】
また、本実施の形態によるウエブ巻取装置では、ウエブＷの切断を行うためのカッターにブラシ２７を必ずしも設ける必要はない。ブラシ２７が設けられていないようなカッターでも、第２の巻取ロール１４の外周面にウエブＷが接した状態で当該ウエブＷの切断を行うことができるものであれば、ウエブＷにおける切断端部が第２の巻取ロール１４の外周面に貼り付けられずに折り返ってしまうことを防止することができる。
【符号の説明】
【００４２】
１０  ウエブ巻取装置
１２  第１の巻取ロール
１４  第２の巻取ロール
１６  ガイドロール
１８  支持アーム
１８ａ  回転軸
２０  切断機構
２２  ニップロール
２４  ニップロール支持アーム
２４ａ  回転軸
２６  カッター
２７  ブラシ
２８  カッター保持部材
２９  弾性体
３０  カッター支持アーム
５０  ウエブ巻取装置
５２  ニップロール
５６  カッター
５７  ブラシ
Ｗ  ウエブ
【図１】
2015048173.tif 000003
【図２】
2015048173.tif 000004
【図３】
2015048173.tif 000005